(57)【要約】【課題】ストレス（応力）によるタッチセンサ部のブリッジの破損が抑制されたフレキシブルタッチパネル及びフレキシブル表示装置を提供する。【解決手段】フレキシブルタッチパネルは、第１方向に曲がったフレキシブル基板と、フレキシブル基板上に位置し、第１方向と交差する第２方向に延長されたブリッジを含むタッチセンサ部と、を含む。第２方向は、第１方向と垂直である。タッチセンサ部は、前記フレキシブル基板上に位置し、それぞれが第３方向に相互離隔して配置された複数の第１センシング電極と、複数の第１センシング電極それぞれの間を接続する接続部と、フレキシブル基板上に位置し、それぞれが第３方向と交差する第４方向に相互離隔して配置された複数の第２センシング電極と、接続部と前記ブリッジの間に位置し、接続部を覆っている絶縁パターンと、をさらに含み、ブリッジが接続部上に位置し、複数の第２センシング電極それぞれの間を接続する。【選択図】図２
2016129017.tif 000002
【特許請求の範囲】
【請求項１】
第１方向に曲がったフレキシブル基板と、
前記フレキシブル基板上に位置し、前記第１方向と交差する第２方向に延長されたブリッジを含むタッチセンサ部と、
を含むフレキシブルタッチパネル。
【請求項２】
前記第２方向が前記第１方向と垂直である、請求項１に記載のフレキシブルタッチパネル。
【請求項３】
前記タッチセンサ部が、
前記フレキシブル基板上に位置し、それぞれが第３方向に相互離隔して配置された複数の第１センシング電極と、
前記複数の第１センシング電極それぞれの間を接続する接続部と、
前記フレキシブル基板上に位置し、それぞれが前記第３方向と交差する第４方向に相互離隔して配置された複数の第２センシング電極と、
前記接続部と前記ブリッジの間に位置し、前記接続部を覆っている絶縁パターンと、
をさらに含み、
前記ブリッジが前記接続部上に位置し、前記複数の第２センシング電極それぞれの間を接続する、請求項１に記載のフレキシブルタッチパネル。
【請求項４】
前記第１センシング電極及び前記接続部が一体に形成される、請求項３に記載のフレキシブルタッチパネル。
【請求項５】
前記第２センシング電極が前記第１センシング電極と同一層に位置する、請求項４に記載のフレキシブルタッチパネル。
【請求項６】
前記絶縁パターンが屈曲した表面を有し、
前記ブリッジが前記屈曲した表面に沿って屈曲する、請求項３に記載のフレキシブルタッチパネル。
【請求項７】
前記ブリッジが複数あり、
複数の前記ブリッジが隣接する前記第２センシング電極の間を接続する、請求項３に記載のフレキシブルタッチパネル。
【請求項８】
前記第２方向と前記第４方向が５°から８０°の交角を形成する、請求項３に記載のフレキシブルタッチパネル。
【請求項９】
前記第３方向が前記第１方向と平行である、請求項３に記載のフレキシブルタッチパネル。
【請求項１０】
イメージを表示し、第１方向に曲がったフレキシブル表示パネルと、
前記フレキシブル表示パネル上に位置し、前記第１方向と交差する第２方向に延長されたブリッジを含むタッチセンサ部と、
含むフレキシブル表示装置。
【請求項１１】
前記タッチセンサ部上に位置し、前記第１方向に曲がったウィンドウをさらに含む、請求項１０に記載のフレキシブル表示装置。
【請求項１２】
フレキシブル基板と、
前記フレキシブル基板上に位置し、前記フレキシブル基板が曲がった方向と交差する方向に延長されたブリッジを含むタッチセンサ部と、
を含むフレキシブルタッチパネル。
【請求項１３】
前記ブリッジの延長方向が、前記フレキシブル基板が曲がる方向と垂直である、請求項１２に記載のフレキシブルタッチパネル。
【請求項１４】
イメージを表示するフレキシブル表示パネルと、
前記フレキシブル表示パネル上に形成され、前記フレキシブル表示パネルが曲がった方向と交差する方向に延長されたブリッジを含むタッチセンサ部と、
を含むフレキシブル表示装置。
【請求項１５】
前記ブリッジの延長方向が、前記フレキシブル表示パネルが曲がる方向と垂直である、請求項１４に記載のフレキシブル表示装置。
【発明の詳細な説明】
【技術分野】
【０００１】
本発明は、フレキシブルタッチパネル及びフレキシブル表示装置に関する。
【背景技術】
【０００２】
タッチパネルはペン又は使用者の指によるタッチを認識する装置であって、最近、有機発光表示装置（ｏｒｇａｎｉｃ  ｌｉｇｈｔ  ｅｍｉｔｔｉｎｇ  ｄｉｏｄｅ  ｄｉｓｐｌａｙ）又は液晶表示装置（ｌｉｑｕｉｄ  ｃｒｙｓｔａｌ  ｄｉｓｐｌａｙ  ｄｅｖｉｃｅ）などの表示パネル上に配置されて、表示装置に信号を入力するための手段として使用されていた。
【０００３】
タッチパネルは基板及び基板上に位置し、タッチ（ｔｏｕｃｈ）を認識するタッチセンサ部を含む。タッチセンサ部は、複数のセンシング電極、及び複数のセンシング電極それぞれの間を接続するブリッジ（ｂｒｉｄｇｅ）を含む。
【０００４】
最近、基板を柔軟なフレキシブル基板で形成することによって、全体的にフレキシブルなタッチパネルが開発された。
【発明の概要】
【発明が解決しようとする課題】
【０００５】
本発明の一実施形態は、ストレス（応力）によるタッチセンサ部のブリッジの破損が抑制されたフレキシブルタッチパネル及びフレキシブル表示装置を提供することに目的がある。
【課題を解決するための手段】
【０００６】
本発明の一側面は、第１方向に曲がったフレキシブル基板と、前記フレキシブル基板上に位置し、前記第１方向と交差する第２方向に延長されたブリッジを含むタッチセンサ部と、を含むフレキシブルタッチパネルを提供する。
【０００７】
前記第２方向は前記第１方向と垂直であってもよい。
【０００８】
前記タッチセンサ部は、前記フレキシブル基板上に位置し、それぞれが第３方向に相互離隔して配置された複数の第１センシング電極と、前記複数の第１センシング電極それぞれの間を接続する接続部と、前記フレキシブル基板上に位置し、それぞれが前記第３方向と交差する第４方向に相互離隔して配置された複数の第２センシング電極と、前記接続部と前記ブリッジの間に位置し、前記接続部を覆っている絶縁パターンと、をさらに含み、前記ブリッジは前記接続部上に位置し、前記複数の第２センシング電極それぞれの間を接続してもよい。
【０００９】
前記第１センシング電極及び前記接続部は一体に形成されてもよい。
【００１０】
前記第２センシング電極は前記第１センシング電極と同一層に位置してもよい。
【００１１】
前記絶縁パターンは屈曲した表面を有し、前記ブリッジは前記屈曲した表面に沿って屈曲してもよい。
【００１２】
前記ブリッジは複数あり、複数の前記ブリッジは隣接する前記第２センシング電極の間を接続してもよい。
【００１３】
前記第２方向と前記第４方向は５°から８０°の交角（ａｎｇｌｅ  ｏｆ  ｉｎｔｅｒｓｅｃｔｉｏｎ）を形成してもよい。
【００１４】
前記第３方向は前記第１方向と平行であってもよい。
【００１５】
また、本発明の他側面は、イメージを表示し、第１方向に曲がったフレキシブル表示パネルと、前記フレキシブル表示パネル上に位置し、前記第１方向と交差する第２方向に延長されたブリッジを含むタッチセンサ部と、を含むフレキシブル表示装置を提供する。
【００１６】
前記タッチセンサ部上に位置し、前記第１方向に曲がったウィンドウをさらに含んでもよい。
【００１７】
また、本発明の他側面は、フレキシブル基板と、前記フレキシブル基板上に位置し、前記フレキシブル基板が曲がった方向と交差する方向に延長されたブリッジを含むタッチセンサ部と、を含むフレキシブルタッチパネルを提供する。
【００１８】
前記ブリッジの延長方向は、前記フレキシブル基板が曲がる方向と垂直であってもよい。
【００１９】
また、本発明の他側面は、イメージを表示するフレキシブル表示パネルと、前記フレキシブル表示パネル上に形成され、前記フレキシブル表示パネルが曲がった方向と交差する方向に延長されたブリッジを含むタッチセンサ部と、を含むフレキシブル表示装置を提供する。
【００２０】
前記ブリッジの延長方向は、前記フレキシブル表示パネルが曲がる方向と垂直であってもよい。
【発明の効果】
【００２１】
上述した本発明の課題を解決するための手段の一部実施形態のいずれか一つによれば、ストレスによるタッチセンサ部のブリッジの破損が抑制されたフレキシブルタッチパネル及びフレキシブル表示装置が提供される。
【図面の簡単な説明】
【００２２】
【図１】本発明の一実施形態によるフレキシブルタッチパネルを示す平面図である。
【図２】図１のＩＩ−ＩＩに沿った断面図である。
【図３Ａ】図１のＩＩＩ−ＩＩＩに沿った断面図である。
【図３Ｂ】本発明の他の実施形態によるフレキシブルタッチパネルの断面図である。
【図４】本発明の他の実施形態によるフレキシブルタッチパネルの一部分を示す平面図である。
【図５】本発明の他の実施形態によるフレキシブルタッチパネルの一部分を示す平面図である。
【図６】本発明の他の実施形態によるフレキシブル表示装置の一部分を示す断面図である。
【発明を実施するための形態】
【００２３】
以下、添付した図面を参照して、本発明の種々の実施形態について本発明が属する技術分野における通常の知識を有する者が容易に実施できるように詳細に説明する。本発明は、種々の異なる形態に具現されることができ、ここで説明する実施形態に限られない。
【００２４】
本発明を明確に説明するために説明と関係のない部分は省略しており、明細書の全体にわたって同一又は類似する構成要素に対しては同一の参照符号を付した。
【００２５】
また、種々の実施形態において、同一の構成を有する構成要素に対しては同一の符号を用いて代表的に一実施形態で説明し、その他の実施形態では一実施形態と異なる構成についてのみ説明する。
【００２６】
また、図面における各構成の大きさ及び厚さは説明の便宜のために任意に示したので、本発明が必ずしも示されたものに限られるものではい。
【００２７】
図面における種々の層及び領域を明確に表現するために厚さを拡大して示した。そして図面において、説明の便宜のために、一部層及び領域の厚さを誇張して示した。層、膜、領域、板などの部分が他の部分の「上に」あると表現されるとき、これは他の部分の「すぐ上に」ある場合だけでなく、その中間に他の部分がある場合も含む。
【００２８】
また、明細書の全体において、ある部分がある構成要素を「含む」とするとき、これは特に反対になる記載がない限り、他の構成要素を除外するのではなく、他の構成要素をさらに含むことができることを意味する。また、明細書の全体で、「〜上に」という表現は、対象になる部分の上又は下に位置することを意味し、必ずしも重力方向を基準として上側に位置することを意味するのではない。
【００２９】
以下、図１から図３Ａを参照して、本発明の一実施形態によるフレキシブルタッチパネルについて説明する。
【００３０】
図１は、本発明の一実施形態によるフレキシブルタッチパネルを示す平面図である。図２は、図１のＩＩ−ＩＩに沿った断面図である。図３Ａは、図１のＩＩＩ−ＩＩＩに沿った断面図である。
【００３１】
図１から図３に示すように、本発明の一実施形態によるフレキシブルタッチパネル１００はタッチ（ｔｏｕｃｈ）を認識し、フレキシブル基板（ＦＳ）、配線部（ＷＰ）、タッチセンサ部（ＴＳ）、及びウィンドウ（ＷＩ）を含む。
【００３２】
フレキシブル基板（ＦＳ）はフレキシブル（ｆｌｅｘｉｂｌｅ）で、フレキシブルフィルムを含んでもよい。フレキシブル基板（ＦＳ）は、ポリマー、ガラス又はステンレス鋼などを含む絶縁性基板である。フレキシブル基板（ＦＳ）はフレキシブルであるが、これに限定されず、伸縮可能（ストレッチャブル）、又は折り畳み可能（ホルダブル）、又は湾曲可能（ベンダブル）、又は巻き取り可能（ローラブル）であり得る。フレキシブル基板（ＦＳ）がフレキシブル、又はストレッチャブル、又はホルダブル、又はベンダブル、又はローラブルであることによって、フレキシブルタッチパネル１００全体がフレキシブル、又はストレッチャブル、又はホルダブル、又はベンダブル、又はローラブルであり得る。フレキシブル基板（ＦＳ）は一方向に曲がってもよく、本発明の一実施形態でフレキシブル基板（ＦＳ）は一方向の第１方向に曲がってもよい。
【００３３】
フレキシブルタッチパネル１００は、図示していないタッチ制御部を含んでもよく、このタッチ制御部は軟性印刷回路基板又は印刷回路基板などの形態に形成されて、配線部（ＷＰ）と接続されてもよい。タッチ制御部はフレキシブルタッチパネル１００から伝送された電気的なアナログ信号をコンバータなどを通じてデジタル信号に数値化して、使用者がタッチした位置情報を計算することができる。
【００３４】
一方、本発明の一実施形態において第１方向はフレキシブル基板（ＦＳ）が曲がる方向と同一であるが、本発明の他の実施形態において第１方向はフレキシブル基板（ＦＳ）が曲がる方向と平行であってもよい。
【００３５】
配線部（ＷＰ）はフレキシブル基板（ＦＳ）の外郭領域に位置しており、タッチセンサ部（ＴＳ）と接続されている。配線部（ＷＰ）はタッチセンサ部（ＴＳ）とタッチ制御部との間を接続し、金属などの不透明導電性材料又は透明導電性材料を含んでもよい。配線部（ＷＰ）はタッチセンサ部（ＴＳ）と他の工程又は同一工程を利用してフレキシブル基板（ＦＳ）上に形成されてもよい。
【００３６】
タッチセンサ部（ＴＳ）はタッチを直接的に認識する部分であり、全体的に透明に形成されている。タッチセンサ部（ＴＳ）はフレキシブル基板（ＦＳ）上に位置し、静電容量式で形成されてもよい。
【００３７】
タッチセンサ部（ＴＳ）は、フレキシブル基板（ＦＳ）上で第１方向に延長されて配線部（ＷＰ）と接続された第１信号ライン（ＳＬ１）と、第１方向と交差する第２方向に延長されて配線部（ＷＰ）と接続された第２信号ライン（ＳＬ２）と、第１信号ライン（ＳＬ１）と第２信号ライン（ＳＬ２）が交差する部分に対応して、第１信号ライン（ＳＬ１）と第２信号ライン（ＳＬ２）の間に位置する絶縁パターン（ＩＰ）と、を含む。
【００３８】
第１信号ライン（ＳＬ１）は複数あり、複数の第１信号ライン（ＳＬ１）それぞれは第２方向に順次に配置されてもよい。
【００３９】
第２信号ライン（ＳＬ２）は複数あり、複数の第２信号ライン（ＳＬ２）それぞれは第１方向に順次に配置されてもよい。
【００４０】
第１信号ライン（ＳＬ１）と第２信号ライン（ＳＬ２）は互いに交差し、第１信号ライン（ＳＬ１）と第２信号ライン（ＳＬ２）が交差する部分には、第１信号ライン（ＳＬ１）と第２信号ライン（ＳＬ２）が絶縁交差するように第１信号ライン（ＳＬ１）と第２信号ライン（ＳＬ２）の間に絶縁パターン（ＩＰ）が位置している。
【００４１】
このように構成されたフレキシブルタッチパネル１００において、複数の第１信号ライン（ＳＬ１）と複数の第２信号ライン（ＳＬ２）に順次に電圧が印加されて第１信号ライン（ＳＬ１）及び第２信号ライン（ＳＬ２）それぞれに電荷が充填されるとき、第１信号ライン（ＳＬ１）又は第２信号ライン（ＳＬ２）にタッチが行われれば、タッチが行われた第１信号ライン（ＳＬ１）又は第２信号ライン（ＳＬ２）の静電容量が変化して、どの位置にタッチが行われたかを確認できる。
【００４２】
以下、第１信号ライン（ＳＬ１）、第２信号ライン（ＳＬ２）、及び絶縁パターン（ＩＰ）それぞれについて具体的に説明する。
【００４３】
第１信号ライン（ＳＬ１）は、第１センシング電極（ＴＰ１）及び接続部（ＣＰ）を含む。
【００４４】
第１センシング電極（ＴＰ１）は複数あり、複数の第１センシング電極（ＴＰ１）それぞれは、フレキシブル基板（ＦＳ）が曲がる方向の第１方向に相互離隔して配置されている。接続部（ＣＰ）は複数の第１センシング電極（ＴＰ１）それぞれの間を接続し、具体的に隣接する第１センシング電極（ＴＰ１）の間を接続している。第１センシング電極（ＴＰ１）及び接続部（ＣＰ）は一体に形成されている。第１センシング電極（ＴＰ１）及び接続部（ＣＰ）はインジウムチンオキサイド（ＩＴＯ）、インジウムジンクオキシド（ＩＺＯ）、メタルメッシュ（ｍｅｔａｌｍｅｓｈ）、導電性高分子及び銀ナノワイヤー（ＡｇＮＷ）のいずれか一つ以上を含む透明導電物質を含んでもよい。ここで、メタルメッシュは、複数の開口部が形成されたメッシュ（ｍｅｓｈ）形態の金属パターン層を意味し、メタルメッシュはメッシュ形態を有するものであれば、いかなる形態の開口部も含むことができる。一例として、開口部は三角形、四角形、五角形、六角形、七角形、八角形、円形、楕円形、又は閉ループ形などの形態を有することができる。また、銀ナノワイヤーは、樹脂などを含む基材層の内部に分散した形態を有してもよいが、これに限定されず、銀ナノワイヤーを含むなら、いかなる形態にも形成できる。
【００４５】
第２信号ライン（ＳＬ２）は、第２センシング電極（ＴＰ２）及びブリッジ（ＢＲ）を含む。
【００４６】
第２センシング電極（ＴＰ２）は複数あり、複数の第２センシング電極（ＴＰ２）それぞれは、フレキシブル基板（ＦＳ）が曲がった方向の第１方向と交差する第２方向に相互離隔して配置されている。ブリッジ（ＢＲ）は複数の第２センシング電極（ＴＰ２）それぞれの間を接続し、具体的に隣接する第２センシング電極（ＴＰ２）の間を接続している。第２センシング電極（ＴＰ２）及びブリッジ（ＢＲ）は互いに異なる層で形成されている。ブリッジ（ＢＲ）はブリッジ（ｂｒｉｄｇｅ）形態を有して、隣接する第２センシング電極（ＴＰ２）の間を接続し、具体的に絶縁パターン（ＩＰ）によって接続部（ＣＰ）と離隔して隣接する第２センシング電極（ＴＰ２）の間を接続する。
【００４７】
第２センシング電極（ＴＰ２）は、第１センシング電極（ＴＰ１）及び接続部（ＣＰ）と同一層に形成されると同時に、同一材料を含み、第１センシング電極（ＴＰ１）及び接続部（ＣＰ）と同時に形成されてもよい。第２センシング電極（ＴＰ２）はインジウムチンオキサイド（ＩＴＯ）、インジウムジンクオキシド（ＩＺＯ）、メタルメッシュ、導電性高分子、炭素ナノチューブ（ＣＮＴ）、銀ナノワイヤー（ＡｇＮＷ）のいずれか一つ以上を含む透明導電物質を含んでもよい。
【００４８】
ブリッジ（ＢＲ）は、絶縁パターン（ＩＰ）を介して接続部（ＣＰ）と離隔して位置しており、具体的に絶縁パターン（ＩＰ）を介して接続部（ＣＰ）上に位置している。ブリッジ（ＢＲ）は第２センシング電極（ＴＰ２）とは異なる材料を含み、一例として電気抵抗が低い金、銀、銅などの金属を含んでもよい。
【００４９】
一方、本発明の一実施形態でブリッジ（ＢＲ）は金属を含むが、これに限定されず、本発明の他の実施形態でブリッジはインジウムチンオキサイド（ＩＴＯ）、インジウムジンクオキシド（ＩＺＯ）、メタルメッシュ、導電性高分子、炭素ナノチューブ（ＣＮＴ）、銀ナノワイヤー（ＡｇＮＷ）などのいずれか一つ以上を含んでもよい。
【００５０】
ブリッジ（ＢＲ）は、フレキシブル基板（ＦＳ）が曲がった方向と交差する方向の第２方向に延長されて、隣接する第２センシング電極（ＴＰ２）の間を接続している。ブリッジ（ＢＲ）の延長方向はフレキシブル基板（ＦＳ）が曲がる方向の第１方向と垂直である第２方向に延長されているが、これに限定されず、ブリッジ（ＢＲ）の延長方向はフレキシブル基板（ＦＳ）が曲がる方向と交差するなら、いかなる方向に延長されてもよい。ブリッジ（ＢＲ）は屈曲した表面を有する絶縁パターン（ＩＰ）上に位置し、これによってブリッジ（ＢＲ）は絶縁パターン（ＩＰ）の屈曲した表面に沿って第２方向に屈曲している。ブリッジ（ＢＲ）が絶縁パターン（ＩＰ）の屈曲した表面に沿って第２方向に屈曲していることによって、ブリッジ（ＢＲ）の屈曲したいくつかの部分には残留応力（ｒｅｓｉｄｕａｌ  ｓｔｒｅｓｓ）が存在しているため、第２方向にストレスが発生する場合、ストレスによって破壊される可能性が大きい。しかし、フレキシブル基板（ＦＳ）が第１方向に曲がり、ブリッジ（ＢＲ）が第１方向と交差する第２方向に延長されることによって、フレキシブル基板（ＦＳ）が曲がることによりブリッジ（ＢＲ）の第１方向にストレスが印加されるので、ストレスによるブリッジ（ＢＲ）の破壊が抑制される。
【００５１】
また、ブリッジ（ＢＲ）が第１方向と交差する第２方向に延長されることによって、フレキシブル基板（ＦＳ）が曲がることによりブリッジ（ＢＲ）に第１方向にストレスが発生しても、縦横比が大きいブリッジ（ＢＲ）に横方向の第１方向にストレスが印加されるので、第１方向に印加されるストレスによるブリッジ（ＢＲ）の破壊が抑制される。
【００５２】
絶縁パターン（ＩＰ）は接続部（ＣＰ）とブリッジ（ＢＲ）の間に位置しており、島（ｉｓｌａｎｄ）形態のパターンに形成されている。絶縁パターン（ＩＰ）は接続部（ＣＰ）を覆っている。絶縁パターン（ＩＰ）は屈曲した表面を有し、このような屈曲した表面上にブリッジ（ＢＲ）が位置することによって、ブリッジ（ＢＲ）は絶縁パターン（ＩＰ）の屈曲した表面に沿って屈曲されて延長される。絶縁パターン（ＩＰ）はＳｉＮｘ、Ａｌ２Ｏ３、ＳｉＯ２、ＴｉＯ２などのいずれか一つ以上を含むか、又は高分子を含んでもよい。
【００５３】
図３Ｂは、本発明の他の実施形態によるフレキシブルタッチパネルの断面図である。
【００５４】
図３Ｂに示すように、本発明の他の実施形態において、絶縁パターン（ＩＰ）は一つの板形態の絶縁層で形成されてもよい。ここで、ブリッジ（ＢＲ）は絶縁パターン（ＩＰ）のコンタクトホールを通じて隣接する第２センシング電極（ＴＰ２）の間を接続する。
【００５５】
ウィンドウ（ＷＩ）はタッチセンサ部（ＴＳ）上に位置している。ウィンドウ（ＷＩ）は、粘弾性（ｖｉｓｃｏｅｌａｓｔｉｃ）物質を含む接着層（ＶＬ）によってタッチセンサ部（ＴＳ）に付着してもよく、タッチセンサ部（ＴＳ）上に位置して、外部の干渉からタッチセンサ部（ＴＳ）を保護する役割を果たす。ウィンドウ（ＷＩ）は、タッチセンサ部（ＴＳ）及び配線部（ＷＰ）が形成されたフレキシブル基板（ＦＳ）より大きい面積を有してもよい。ウィンドウ（ＷＩ）はタッチセンサ部（ＴＳ）上に位置し、フレキシブル基板（ＦＳ）が曲がった方向と同一の方向に曲がっている。ウィンドウ（ＷＩ）はフレキシブル基板（ＦＳ）が曲がった方向と同一の方向である第１方向に曲がった状態を維持してもよく、これによってフレキシブル基板（ＦＳ）も第１方向に曲がった状態を維持することができる。ウィンドウ（ＷＩ）は透明な物質を含んでもよく、一例として高分子（ｐｏｌｙｍｅｒ）、ガラス（ｇｌａｓｓ）、クォーツ（ｑｕａｒｔｚ）、サファイア（ｓａｐｐｈｉｒｅ）などのいずれか一つ以上を含んでもよい。
【００５６】
このように、本発明の一実施形態によるフレキシブルタッチパネル１００は、フレキシブル基板（ＦＳ）が曲がった方向の第１方向と交差する第２方向にブリッジ（ＢＲ）が延長されることによって、フレキシブル基板（ＦＳ）が第１方向に曲がることによりブリッジ（ＢＲ）に第１方向にストレスが発生しても、縦横比が大きいブリッジ（ＢＲ）に横方向の第１方向にストレスが印加されるので、第１方向に印加されるストレスによるブリッジ（ＢＲ）の破壊が抑制される。
【００５７】
また、本発明の一実施形態によるフレキシブルタッチパネル１００は、ブリッジ（ＢＲ）が絶縁パターン（ＩＰ）の屈曲した表面に沿って第２方向に屈曲し延長されて、ブリッジ（ＢＲ）の屈曲したいくつかの部分に残留応力が存在しても、フレキシブル基板（ＦＳ）が第１方向に曲がってブリッジ（ＢＲ）に第１方向にストレスが印加されるので、ストレスによるブリッジ（ＢＲ）の破壊が抑制される。
【００５８】
つまり、ストレス（応力）によるタッチセンサ部（ＴＳ）のブリッジ（ＢＲ）の破損が抑制されたフレキシブルタッチパネル１００が提供される。
【００５９】
以下、図４を参照して、本発明の他の実施形態によるフレキシブルタッチパネルについて説明する。以下では、上述した本発明の一実施形態によるフレキシブルタッチパネルとは異なる部分について説明する。
【００６０】
図４は、本発明の他の実施形態によるフレキシブルタッチパネルの一部分を示す平面図である。
【００６１】
図４に示すように、本発明の他の実施形態によるフレキシブルタッチパネル１００のブリッジ（ＢＲ）は複数あり、複数のブリッジ（ＢＲ）は第２方向に延長されて、隣接する第２センシング電極（ＴＰ２）の間を接続している。
【００６２】
このように、本発明の他の実施形態によるフレキシブルタッチパネル１００は、フレキシブル基板（ＦＳ）が曲がった方向の第１方向と交差する第２方向に複数のブリッジ（ＢＲ）が延長されることによって、フレキシブル基板（ＦＳ）が第１方向に曲がることにより複数のブリッジ（ＢＲ）に第１方向にストレスが発生しても、縦横比が大きいブリッジ（ＢＲ）それぞれに横方向の第１方向にストレスが印加されるので、第１方向に印加されるストレスによる複数のブリッジ（ＢＲ）の破壊が抑制される。
【００６３】
さらに、本発明の他の実施形態によるフレキシブルタッチパネル１００はブリッジ（ＢＲ）が複数に形成されることによって、第１方向に印加されるストレスによって複数のブリッジ（ＢＲ）のいずれか一つが破壊されても、それ以外のブリッジ（ＢＲ）が存在しているので、ブリッジ（ＢＲ）の破損により隣接する第２センシング電極（ＴＰ２）間の接続が分離するのが抑制される。
【００６４】
つまり、ストレス（応力）によるタッチセンサ部（ＴＳ）のブリッジ（ＢＲ）の破損が抑制されたフレキシブルタッチパネル１００が提供される。
【００６５】
以下、図５を参照して、本発明の他の実施形態によるフレキシブルタッチパネルを説明する。以下では、上述した本発明の一実施形態によるフレキシブルタッチパネルとは異なる部分について説明する。
【００６６】
図５は、本発明の他の実施形態によるフレキシブルタッチパネルの一部分を示す平面図である。
【００６７】
図５に示すように、本発明の他の実施形態によるフレキシブルタッチパネル１００のブリッジ（ＢＲ）の延長方向は、第２方向と設定された角度にチルトされている（傾けられている）。ブリッジ（ＢＲ）の延長方向は第２方向と５°から８０°の交角（ＡＮ）を形成する。そして、本発明の他の実施形態によるフレキシブルタッチパネル１００の絶縁パターン（ＩＰ）の延長方向は、第２方向と設定された角度にチルトされている。絶縁パターン（ＩＰ）の延長方向は第２方向と５°から８０°の交角（ＡＮ）を形成する。
【００６８】
このように、本発明の他の実施形態によるフレキシブルタッチパネル１００は、フレキシブル基板（ＦＳ）が曲がった方向の第１方向と交差する方向にブリッジ（ＢＲ）が延長されることによって、フレキシブル基板（ＦＳ）が第１方向に曲がることにより複数のブリッジ（ＢＲ）に第１方向にストレスが発生しても、縦横比が大きいブリッジ（ＢＲ）それぞれに横方向の第１方向にストレスが印加されるので、第１方向に印加されるストレスによる複数のブリッジ（ＢＲ）の破壊が抑制される。
【００６９】
さらに、本発明の他の実施形態によるフレキシブルタッチパネル１００は、ブリッジ（ＢＲ）が第２方向と設定された角度にチルトされていることによって、ブリッジ（ＢＲ）に光が正面に反射するのが抑制されるので、ブリッジ（ＢＲ）が外部に視認されるのが抑制される。
【００７０】
つまり、ストレスによるタッチセンサ部（ＴＳ）のブリッジ（ＢＲ）の破損が抑制されたフレキシブルタッチパネル１００が提供される。
【００７１】
以下、図６を参照して、本発明の他の実施形態によるフレキシブル表示装置について説明する。以下では、上述した本発明の一実施形態によるフレキシブルタッチパネルとは異なる部分について説明する。
【００７２】
図６は、本発明の他の実施形態によるフレキシブル表示装置の一部分を示す断面図である。
【００７３】
図６に示すように、本発明の他の実施形態によるフレキシブル表示装置１０００は、イメージを表示するフレキシブル表示パネル（ＦＤ）、タッチセンサ部（ＴＳ）、及びウィンドウ（ＷＩ）を含む。
【００７４】
フレキシブル表示パネル（ＦＤ）は第１方向に曲がっており、基板（ＳＵＢ）、表示部（ＤＭ）、及び密封部（ＥＮ）を含む。
【００７５】
基板（ＳＵＢ）は、ガラス、ポリマー又はステンレス鋼などを含む絶縁性基板である。基板（ＳＵＢ）はフレキシブル、又はストレッチャブル、又はホルダブル、又はベンダブル、又はローラブルであり得る。基板（ＳＵＢ）がフレキシブル、又はストレッチャブル、又はホルダブル、又はベンダブル、又はローラブルであることによって、フレキシブル表示パネル（ＦＤ）全体がフレキシブル、又はストレッチャブル、又はホルダブル、又はベンダブル、又はローラブルであり得る。一例として、基板（ＳＵＢ）はポリイミドなどの樹脂を含むフレキシブルフィルム（ｆｉｌｍ）形態を有してもよい。
【００７６】
表示部（ＤＭ）は複数の画素を利用してイメージを表示する。ここで、画素とはイメージを表示する最小単位を意味する。表示部（ＤＭ）は、光を発光する有機発光素子（ＯＬＥＤ）、及び有機発光素子（ＯＬＥＤ）と接続された薄膜トランジスタ（ＴＦＴ）を含む。一方、本発明の他の実施形態では、説明の便宜のために表示部（ＤＭ）が有機発光素子（ＯＬＥＤ）及び薄膜トランジスタ（ＴＦＴ）を含むことと説明したが、これに限定されず、表示部（ＤＭ）は一つ以上のスキャン配線、一つ以上のデータ配線、複数の薄膜トランジスタ、一つ以上のキャパシタをさらに含んでもよく、このような構成は公知された多様な構造を有することができる。
【００７７】
薄膜トランジスタ（ＴＦＴ）はアクティブ層（ＡＬ）、ゲート電極（ＧＥ）、ソース電極（ＳＥ）、及びドレイン電極（ＤＥ）を含む。
【００７８】
アクティブ層（ＡＬ）はポリシリコン又は酸化物半導体で形成されてもよい。酸化物半導体は、チタニウム（Ｔｉ）、ハフニウム（Ｈｆ）、ジルコニウム（Ｚｒ）、アルミニウム（Ａｌ）、タンタル（Ｔａ）、ゲルマニウム（Ｇｅ）、亜鉛（Ｚｎ）、ガリウム（Ｇａ）、錫（Ｓｎ）又はインジウム（Ｉｎ）を基本とする酸化物、これらの複合酸化物である酸化亜鉛（ＺｎＯ）、インジウム−ガリウム−亜鉛酸化物（ＩｎＧａＺｎＯ４）、インジウム−亜鉛酸化物（Ｚｎ−Ｉｎ−Ｏ）、亜鉛−スズ酸化物（Ｚｎ−Ｓｎ−Ｏ）インジウム−ガリウム酸化物（Ｉｎ−Ｇａ−Ｏ）、インジウム−スズ酸化物（Ｉｎ−Ｓｎ−Ｏ）、インジウム−ジルコニウム酸化物（Ｉｎ−Ｚｒ−Ｏ）、インジウム−ジルコニウム−亜鉛酸化物（Ｉｎ−Ｚｒ−Ｚｎ−Ｏ）、インジウム−ジルコニウム−スズ酸化物（Ｉｎ−Ｚｒ−Ｓｎ−Ｏ）、インジウム−ジルコニウム−ガリウム酸化物（Ｉｎ−Ｚｒ−Ｇａ−Ｏ）、インジウム−アルミニウム酸化物（Ｉｎ−Ａｌ−Ｏ）、インジウム−亜鉛−アルミニウム酸化物（Ｉｎ−Ｚｎ−Ａｌ−Ｏ）、インジウム−スズ−アルミニウム酸化物（Ｉｎ−Ｓｎ−Ａｌ−Ｏ）、インジウム−アルミニウム−ガリウム酸化物（Ｉｎ−Ａｌ−Ｇａ−Ｏ）、インジウム−タンタル酸化物（Ｉｎ−Ｔａ−Ｏ）、インジウム−タンタル−亜鉛酸化物（Ｉｎ−Ｔａ−Ｚｎ−Ｏ）、インジウム−タンタル−スズ酸化物（Ｉｎ−Ｔａ−Ｓｎ−Ｏ）、インジウム−タンタル−ガリウム酸化物（Ｉｎ−Ｔａ−Ｇａ−Ｏ）、インジウム−ゲルマニウム酸化物（Ｉｎ−Ｇｅ−Ｏ）、インジウム−ゲルマニウム−亜鉛酸化物（Ｉｎ−Ｇｅ−Ｚｎ−Ｏ）、インジウム−ゲルマニウム−スズ酸化物（Ｉｎ−Ｇｅ−Ｓｎ−Ｏ）、インジウム−ゲルマニウム−ガリウム酸化物（Ｉｎ−Ｇｅ−Ｇａ−Ｏ）、チタニウム−インジウム−亜鉛酸化物（Ｔｉ−Ｉｎ−Ｚｎ−Ｏ）、ハフニウム−インジウム−亜鉛酸化物（Ｈｆ−Ｉｎ−Ｚｎ−Ｏ）のいずれか一つを含んでもよい。
【００７９】
アクティブ層（ＡＬ）は、不純物がドーピングされないチャネル領域と、チャネル領域の両側に不純物がドーピングされて形成されたソース領域及びドレイン領域を含む。ここで、このような不純物は薄膜トランジスタの種類によって変わり、Ｎ型不純物又はＰ型不純物が可能である。アクティブ層（ＡＬ）が酸化物半導体からなる場合には、高温に露出するなどの外部環境に脆弱な酸化物半導体を保護するために別の保護層が追加されてもよい。
【００８０】
ゲート電極（ＧＥ）は一つの絶縁層を介してアクティブ層（ＡＬ）上に位置し、ソース電極（ＳＥ）及びドレイン電極（ＤＥ）それぞれはゲート電極（ＧＥ）を覆う他の絶縁層上に位置して、コンタクトホールを通じてアクティブ層（ＡＬ）のソース領域及びドレイン領域それぞれと接続されている。ドレイン電極（ＤＥ）は有機発光素子（ＯＬＥＤ）の第１電極（Ｅ１）とコンタクトホールを通じて接続されている。
【００８１】
有機発光素子（ＯＬＥＤ）は、薄膜トランジスタ（ＴＦＴ）のドレイン電極（ＤＥ）と接続された第１電極（Ｅ１）、第１電極（Ｅ１）上に位置する有機発光層（ＥＬ）、及び有機発光層（ＥＬ）上に位置する第２電極（Ｅ２）を含む。
【００８２】
第１電極（Ｅ１）は正孔注入電極の陽極（ａｎｏｄｅ）であってもよく、光反射性、光半透過性、光透過性電極のいずれか一つの電極であってもよい。一方、本発明の他の実施形態で、第１電極（Ｅ１）は電子注入電極の陰極（ｃａｔｈｏｄｅ）であってもよい。
【００８３】
有機発光層（ＥＬ）は第１電極（Ｅ１）上に位置している。有機発光層（ＥＬ）は、低分子有機物又はＰＥＤＯＴ（Ｐｏｌｙ３、４−ｅｔｈｙｌｅｎｅｄｉｏｘｙｔｈｉｏｐｈｅｎｅ）などの高分子有機物で形成されてもよい。有機発光層（ＥＬ）は、赤色を発光する赤色有機発光層、緑色を発光する緑色有機発光層、及び青色を発光する青色有機発光層を含んでもよく、赤色有機発光層、緑色有機発光層及び青色有機発光層は、それぞれ赤色画素、緑色画素及び青色画素に形成されて、カラー画像を実現するようになる。有機発光層（ＥＬ）は、赤色有機発光層、緑色有機発光層及び青色有機発光層を赤色画素、緑色画素及び青色画素に全て共に積層し、各画素別に赤色カラーフィルタ、緑色カラーフィルタ及び青色カラーフィルタを形成して、カラー画像を実現することができる。他の例として、有機発光層（ＥＬ）としての白色を発光する白色有機発光層を赤色画素、緑色画素及び青色画素の全てに形成し、各画素別にそれぞれ赤色カラーフィルタ、緑色カラーフィルタ及び青色カラーフィルタを形成して、カラー画像を実現することもできる。有機発光層（ＥＬ）としての白色有機発光層とカラーフィルタを利用してカラー画像を実現する場合、赤色有機発光層、緑色有機発光層及び青色有機発光層をそれぞれの個別画素、つまり、赤色画素、緑色画素及び青色画素に蒸着するための蒸着マスクを使用しなくてもよい。他の例として説明した有機発光層（ＥＬ）としての白色有機発光層は、一つの有機発光層により形成できるのはもちろんのこと、複数の有機発光層を積層して白色を発光するようにした構成まで含む。一例として、有機発光層（ＥＬ）は、少なくとも一つのイエロー有機発光層と少なくとも一つの青色有機発光層とを組み合わせて白色発光を可能にした構成、少なくとも一つのシアン有機発光層と少なくとも一つの赤色有機発光層とを組み合わせて白色発光を可能にした構成、及び少なくとも一つのマゼンタ有機発光層と少なくとも一つの緑色有機発光層とを組み合わせて白色発光を可能にした構成などを含んでもよい。
【００８４】
第２電極（Ｅ２）は有機発光層（ＥＬ）上に位置し、電子注入電極の陰極（ｃａｔｈｏｄｅ）であってもよい。第２電極（Ｅ２）は光反射性、光半透過性、光透過性電極のいずれか一つの電極であってもよい。第２電極（Ｅ２）は有機発光層（ＥＬ）を覆うように基板（ＳＵＢ）の表示領域（ＤＡ）全体にわたって位置している。一方、本発明の他の実施形態で、第２電極（Ｅ２）は正孔注入電極の陽極であってもよい。
【００８５】
密封部（ＥＮ）は表示部（ＤＭ）を介して基板（ＳＵＢ）上に位置している。密封部（ＥＮ）は、基板（ＳＵＢ）の表示領域及び非表示領域全体にわたって基板（ＳＵＢ）上に位置しており、基板（ＳＵＢ）と共に表示部（ＤＭ）を密封している。密封部（ＥＮ）は薄膜密封部（ｔｈｉｎ  ｆｉｌｍ  ｅｎｃａｐｓｕｌａｔｉｏｎ）で形成されてもよい。密封部（ＥＮ）は、表示部（ＤＭ）上に位置する有機層（ＯＬ）、及び有機層（ＯＬ）上に位置する無機層（ＩＬ）を含む。一方、本発明の他の実施形態で、密封部（ＥＮ）は相互交互的に積層された一つ以上の有機層及び一つ以上の無機層を含んでもよい。具体的に、無機層又は有機層それぞれは複数あってもよく、複数の無機層及び複数の有機層それぞれは相互交互的に積層されてもよい。一例として、密封部（ＥＮ）は、少なくとも二つの無機層の間に少なくとも一つの有機層が挿入されたサンドイッチ構造を少なくとも一つ含んでもよい。
【００８６】
有機層（ＯＬ）は高分子で形成され、好ましくは、ポリエチレンテレフタレート、ポリイミド、ポリカーボネート、エポキシ、ポリエチレン及びポリアクリレートのいずれか一つで形成される単一膜又は積層膜であってもよい。一例として、有機層はポリアクリレートで形成されてもよく、具体的にはジアクリレート系モノマーとトリアクリレート系モノマーを含むモノマー組成物が高分子化されたものを含む。ここで、モノマー組成物にモノアクリレート系モノマーがさらに含まれてもよく、モノマー組成物にＴＰＯのような公知の光開始剤がさらに含まれてもよいが、これに限定されない。
【００８７】
無機層（ＩＬ）は、金属酸化物又は金属窒化物を含む単一膜又は積層膜であってもよい。具体的に、無機層はＳｉＮｘ、Ａｌ２Ｏ３、ＳｉＯ２、ＴｉＯ２のいずれか一つ以上を含んでもよい。
【００８８】
本発明の他の実施形態で、フレキシブル表示パネル（ＦＤ）は有機発光素子を含む有機発光表示装置を一例として説明しているが、本発明の他の実施形態によるフレキシブル表示パネルはフレキシブルであれば、液晶表示装置（ｌｉｑｕｉｄ  ｃｒｙｓｔａｌ  ｄｉｓｐｌａｙｓ、ＬＣＤｓ）、プラズマディスプレイ（ｐｌａｓｍａ  ｄｉｓｐｌａｙｓ、ＰＤｓ）、フィールドエミッションディスプレイ（ｆｉｅｌｄ  ｅｍｉｓｓｉｏｎ  ｄｉｓｐｌａｙｓ、ＦＥＤｓ）、電気泳動ディスプレイ（ｅｌｅｃｔｒｏｐｈｏｒｅｔｉｃ  ｄｉｓｐｌａｙｓ、ＥＰＤｓ）、電気湿潤ディスプレイ（ｅｌｅｃｔｒｏｗｅｔｔｉｎｇ  ｄｉｓｐｌａｙｓ、ＥＷＤｓ）などの多様な表示装置であり得る。
【００８９】
タッチセンサ部（ＴＳ）は、フレキシブル表示パネル（ＦＤ）の密封部（ＥＮ）上に形成されている。タッチセンサ部（ＴＳ）は、本発明の一実施形態で上述した第１センシング電極（ＴＰ１）、接続部（ＣＰ）、第２センシング電極、及びブリッジ（ＢＲ）を含む。
【００９０】
第１センシング電極（ＴＰ１）、接続部（ＣＰ）、第２センシング電極それぞれは密封部（ＥＮ）上に形成されている。
【００９１】
ブリッジ（ＢＲ）は、フレキシブル表示パネル（ＦＤ）が曲がった方向と交差する方向の第１方向に延長されて、隣接する第２センシング電極の間を接続している。ブリッジ（ＢＲ）の延長方向は、フレキシブル表示パネル（ＦＤ）が曲がる方向の第１方向と垂直である第２方向に延長されているが、これに限定されず、ブリッジ（ＢＲ）の延長方向はフレキシブル表示パネル（ＦＤ）が曲がる方向と交差するなら、いかなる方向に延長されてもよい。
【００９２】
以上のようなタッチセンサ部（ＴＳ）上にウィンドウ（ＷＩ）が位置している。
【００９３】
ウィンドウ（ＷＩ）は、粘弾性物質を含む接着層（ＶＬ）によってタッチセンサ部（ＴＳ）に付着してもよく、タッチセンサ部（ＴＳ）上に位置して、外部の干渉からタッチセンサ部（ＴＳ）及びフレキシブル表示パネル（ＦＤ）を保護する役割を果たす。ウィンドウ（ＷＩ）はフレキシブル表示パネル（ＦＤ）より大きい面積を有してもよい。ウィンドウ（ＷＩ）はタッチセンサ部（ＴＳ）上に位置し、フレキシブル表示パネル（ＦＤ）が曲がった方向と同一の方向に曲がっている。ウィンドウ（ＷＩ）は、フレキシブル表示パネル（ＦＤ）が曲がった方向と同一の方向である第１方向に曲がった状態を維持してもよく、これによってフレキシブル表示パネル（ＦＤ）も第１方向に曲がった状態を維持することができる。ウィンドウ（ＷＩ）は透明な物質を含んでもよく、一例として高分子（ｐｏｌｙｍｅｒ）、ガラス（ｇｌａｓｓ）、クォーツ（ｑｕａｒｔｚ）、サファイア（ｓａｐｐｈｉｒｅ）のいずれか一つ以上を含んでもよい。
【００９４】
このように、本発明の他の実施形態によるフレキシブル表示装置１０００は、フレキシブル表示パネル（ＦＤ）が曲がった方向の第１方向と交差する第２方向にブリッジ（ＢＲ）が延長されることによって、フレキシブル表示パネル（ＦＤ）が第１方向に曲がることによりブリッジ（ＢＲ）に第１方向にストレスが発生しても、縦横比が大きいブリッジ（ＢＲ）に横方向の第１方向にストレスが印加されるので、第１方向に印加されるストレスによるブリッジ（ＢＲ）の破壊が抑制される。
【００９５】
つまり、ストレスによるタッチセンサ部（ＴＳ）のブリッジ（ＢＲ）の破損が抑制されたフレキシブル表示装置１０００が提供される。
【００９６】
本発明について、上述した好ましい実施形態を通じて説明したが、本発明はこれに限定されることではなく、次に記載する特許請求の範囲の概念と範囲を逸脱しない限り、多様な修正及び変形が可能であることを本発明が属する技術分野における者ならば容易に理解できるはずである。
【符号の説明】
【００９７】
ＦＳ  フレキシブル基板
ＢＲ  ブリッジ
ＴＳ  タッチセンサ部
【図１】
2016129017.tif 000003
【図２】
2016129017.tif 000004
【図３Ａ】
2016129017.tif 000005
【図３Ｂ】
2016129017.tif 000006
【図４】
2016129017.tif 000007
【図５】
2016129017.tif 000008
【図６】
2016129017.tif 000009